(57)【要約】本発明は制御手段を備えられたマルチメディア通信用の装置に係る。制御手段のシングル起動い応答して、装置は、なんらかのマルチメディア・コンテンツのサンプルを取り、サンプルを処理されたメッセージに加え、添付サンプルを有するメッセージを任意で受信者に送信する。これにより、送信されたメッセージの受信者は、メッセージの書き手を容易に識別及び認証できるようになる。また、メッセージを処理する際、メッセージの書き手の感情を表現すること、及び、書き手の状況及び環境を伝えることがより容易になる。送信されたメッセージが、通信セッションを制御するコマンドを有する際、新しいサンプルは、受信者の元で再生され得、コマンドを説明する。例は、メッセージの送信者からのこんにちは、又はさようならという挨拶を有する。送信されたメッセージは、通信セッションへの誘引を有し得、例えば、発信者識別に対するサンプルをローカルで得て、格納し、保持するという面倒を防止し、受信者がセッションへの参加を決定することを容易にする。
2006526330.tif 000002
【特許請求の範囲】
【請求項１】
マルチメディア通信用の装置であって、
−  マルチメディア・コンテンツのサンプルをキャプチャするキャプチャ手段と、
−  メッセージを処理する処理手段と、
−  前記キャプチャ手段及び前記処理手段を制御する制御手段と、
を有し、
前記サンプルがキャプチャされ、前記制御手段のシングル起動に応答して、前記メッセージに加えられる、
装置。
【請求項２】
前記装置は、前記シングル起動に応答して追加された前記サンプルを有する前記メッセージを送信する送信手段を更に有す、
請求項１記載の装置。
【請求項３】
前記キャプチャ手段はカメラを有し、前記サンプルは写真を有する、請求項１記載の装置。
【請求項４】
前記装置は携帯電話を有する、請求項１記載の装置。
【請求項５】
前記メッセージは、通信セッションを制御するコマンドを有する、請求項２記載の装置。
【請求項６】
前記メッセージは、通信セッションへの誘引を有する、請求項２記載の装置。
【請求項７】
マルチメディア通信に対する方法であって、
−  マルチメディア・コンテンツのサンプルをキャプチャする段階と、
−  メッセージを処理する段階と、
−  前記サンプルをキャプチャし、前記メッセージに前記サンプルを追加するようシングル制御を起動すると、
を有する、方法。
【請求項８】
前記シングル制御を起動させる前記段階は、また、前記メッセージを送信する、
請求項７記載のマルチメディア通信に対する方法。
【請求項９】
前記メッセージは、通信セッションを制御するコマンドを有し、前記方法は、前記制御コマンドに依存して前記通信セッションを制御する前記段階を更に有する、
請求項８記載の方法。
【請求項１０】
前記メッセージは、通信セッションへの誘引を有し、前記方法は、前記誘引の受諾に応答して前記通信セッションを確立する前記段階を更に有する、
請求項８記載の方法。
【発明の詳細な説明】
【技術分野】
【０００１】
本発明は、マルチメディア・コンテンツのサンプルをキャプチャするキャプチャ手段と、メッセージを処理する処理手段とを有する、マルチメディア通信用の装置に係る。
【０００２】
本発明はまた、マルチメディア通信の方法に係り、該方法は、マルチメディア・コンテンツのサンプルをキャプチャする段階と、メッセージを処理する段階とを有する。
【背景技術】
【０００３】
冒頭に説明された装置は、Ｓｏｎｙ  Ｅｒｉｃｓｏｎ社製Ｐ８００携帯電話より既知であり、Sony  Ericsson  Mobile  Communications  AB社発行、「ユーザ・ガイド」、第１版、２００２年１１月、発行番号ＥＮ／ＬＺＴ１０８６０４０Ｒ１Ａ（非特許文献１）に記載されるとおりである。多くの携帯電話は、今日、マルチメディア・メッセージ・サービス（ＭＭＳ）のメッセージを送信する性能に加え、写真を撮る性能を搭載している。笑顔文字
【０００４】
（外１）
2006526330.tif 000003
のような所謂顔文字は、書き手の感情を表現するようメッセージの文章中に挿入され得る。顔文字を挿入することは比較的単純である。書き手の感情を表現するという同一の目的のために、カメラを使って写真又は静止画像等のサンプル又はスナップショットが、メッセージに有され得る。サンプルが有されていると、メッセージの受信者は、より容易に書き手を識別及び認証し得るようにもなる。更に、サンプルは、また、書き手の近況を容易に伝え、従ってメッセージを解釈するフレームワークを与える。しかしながら、含まれたサンプルを有するメッセージを送信することは、サンプルを取る段階、サンプルを格納する段階、メッセージを編集することによるメッセージ内のサンプルを含む段階、及び、格納されたサンプルを選択する段階を有する。最後に、メッセージは送信され得る。かかる段階の殆どは、ユーザに、装置を手動で反復して操作することを要求する。これは、偶発的又は意図的エラーを発生させる可能性を増加し、このことは、認証を目的とするサンプルの値を低下させる。また、装置を使用したかかるメッセージの送信は、ユーザにとって困難且つ複雑なものとなる。
【非特許文献１】Sony  Ericsson  Mobile  Communications  AB社発行、「ユーザ・ガイド」、第１版、２００２年１１月、発行番号ＥＮ／ＬＺＴ１０８６０４０Ｒ１Ａ
【発明の開示】
【発明が解決しようとする課題】
【０００５】
本発明は、上述された問題点のない、冒頭で説明された種類のマルチメディア通信用の装置を与えることを目的とする。
【課題を解決するための手段】
【０００６】
かかる目的は、装置が、キャプチャ手段及び処理手段を制御する制御手段を有し、サンプルが、キャプチャされ、制御手段のシングル起動（ｓｉｎｇｌｅ  ａｃｔｉｖａｔｉｏｎ）に応答するメッセージに加えられるようにされることで達成される。シングル起動により、キャプチャ及び追加は、不可分のアクションとなり、サンプルを改竄することがより困難となる。シングル起動は、サンプルの、キャプチャ、格納、取出し、及び、挿入を行なう装置を操作する個別の段階を省く。
【０００７】
有利には、装置は、シングル起動に応答して追加されたサンプルを有するメッセージを送信する送信手段を、更に有する。これは、装置を操作する他の追加的な手動の段階を省き、送信されたメッセージを改竄する可能性を更に制限する。
【０００８】
有利には、キャプチャ手段は、カメラを有し、サンプルは写真を有する。書き手の感情を捉えるよう、カメラで撮られた写真は、顔の表情を容易に利用するという追加的な利点を有する。他の利点は、写真は、メッセージを解釈するよう書き手の実際の状況を容易に伝達し得ることである。
【０００９】
有利には、装置は、携帯電話を有する。これは、メッセージの受信に応答したより対話型である音声電話への容易な切換えという利点を有する。あるいは、サンプルを有するメッセージは、音声電話中、又は、他の通信セッション中に他の相手に容易に送信され得る。
【００１０】
有利には、メッセージは、通信セッションを制御するコマンドを有する。これは、サンプルが、メッセージの送信者又はセッションに関連する追加的情報を与え得る、という利点を有する。また、古い又は遅れたサンプルである危険性がない。例えば、特にセッションに多くの参加者がいる場合、セッションを去る参加者の写真を表示するのに有用であり得る。サンプルはまた、セッション中に、例えば、セッションの参加者のリマインダとして、又は他の参加者に対して一参加者を識別するよう、使用され得る。
【００１１】
有利には、メッセージは、通信セッションへの誘引を有し得る。これは、所謂マルチメディア発信者識別サービスに向けて、アドレス帳にエントリーを作成、格納、及び保持する手間を防止する、という利点を有する。かかるサービスによって、サンプルは、受信先で再生され、誘引する側の認識を単純化する。一例は、着信電話の発信者のサムネイル写真を表示することである。他の例は、発信者の名前を有する音響サンプル、又はセッションの主題を紹介するショート・クリップである。本発明に従った装置は、発信者と受信者との間に事前に接触がなくても、写真による発信者識別を可能にする。更に、サンプルは、セッション又はその状況についての意図に関する追加的及び実際の情報を与え得、受信者が参加を決意することをより容易にする。更に、サンプルは、セッションへ参加するよう受信者を促し得る。
【００１２】
本発明に従ったマルチメディア通信に対する方法の一実施例では、方法は、
−  マルチメディア・コンテンツのサンプルをキャプチャする段階と、
−  メッセージを処理する段階と、
−  サンプルをキャプチャし、メッセージにサンプルを追加するよう、シングル制御を起動させる段階と、
を有する。かかる方法は、サンプルを改竄する可能性を低減し、サンプルをキャプチャ、格納、取り出し、及び挿入する装置を操作する複数の段階を省く。
【００１３】
有利には、シングル制御を起動することは、また、メッセージを送信し、更には、メッセージを改竄する可能性を低減し、装置の操作における他の追加的な手動の段階を省く。
【発明を実施するための最良の形態】
【００１４】
本発明に関する上述された目的及び特性は、以下の図面を参照した望ましい実施例の説明からより明らかとなる。図１は、本発明に従った装置の一実施例のブロック図である。
【００１５】
図中に示された特性には、ソフトウェアで実施され得るものもあり、そのこと自体は、ソフトウェア・モジュール又はオブジェクト等のソフトウェア実体を示す。
【００１６】
マルチメディア通信用の装置１００は、制御手段１１０、キャプチャ手段１２１、及び処理手段１２２を有する。任意で、装置１００は、送信手段１２３を有する。装置１００は、全体として機能を実行するよう接続された別個の物理的部分を有して、与えられ得る。この一例は、携帯電話、及び電話に取り付けられ得る所謂スナップ・オン・カメラ（ｓｎａｐ−ｏｎ  ｃａｍｅｒａ）を有する装置１００である。他の例は、例えば所謂ＢｌｕｅＴｏｏｔｈ標準に基づいて別個のマルチメディア・レコーダと無線で通信する、所謂携帯端末（ＰＤＡ）、あるいは、デスクトップ又はパームトップ・コンピュータ（ＰＣ）である。従って、装置１００は、単一の物理的実体よりむしろ単一の論理的実体を対象とする。装置１００は、また、携帯型、ポータブル型、ハンドヘルド型、又は固定型、無線又は優先であり得るマルチメディア端末であり得る。また、装置１００は、手段又は指示を与えられたマルチメディア端末の機能性を与える汎用ハードウェア・プラットフォームを有し得る。
【００１７】
制御信号１３１を使用して、制御手段１１０は、キャプチャ手段１２１、処理手段１２２、及び送信手段１２３を制御する。制御手段１１０のシングル起動１３０に応答して、制御手段１１０は、サンプルがキャプチャされ、メッセージ１３４に追加されること、及び、任意でメッセージ１３４が送信されること１３５を確実にする。
【００１８】
メッセージ１３４は、例えば、ショート・メッセージ・サービス（ＳＭＳ）、又はマルチメディア・メッセージ（ＭＭＳ）、又は電子メールメッセージ、又は、インスタント・メッセージ又はチャットに使用される一般的なメッセージ、又はユニファイド・メッセージング又はマルチメディア通信に使用される一般的なメッセージであり得る。
【００１９】
キャプチャ手段１２１は、マルチメディア・コンテンツ１３６のサンプル１３３をキャプチャし得る。マルチメディア・コンテンツ１３６をキャプチャすることは、複数の構成部品をキャプチャすることを有し得る。１つの構成部品は、静止画像又はスナップショットであり得る。構成部品の他の例は、一連の画像、又は、しばしば短い動画又はクリップがキャプチャされた一連の画像である。他の構成部品は、数秒間の音声サンプル、又はステレオ音響サンプル等の音響である。他の例は、音声メッセージ又は音声メールである。また、色をキャプチャすること、又はバーコードをキャプチャすることが、結果的には構成部品をもたらす。他の構成部品は、温度及び匂いを有する。更に他の構成部品は、手で握ること又は手袋をして感じることから派生される触知性情報であり得る。上述された例は全て、更なる構成部品を有するよう容易に拡張され、従って、いずれかの手法で構成部品を制限するよう意図されない。また、構成部品の組合せもなされ得る。一例は、ビデオ構成部品と音響構成部品との組合せであり、通常はテレビジョン受像機で再生される視聴覚サンプルを得るようにされる。キャプチャは、シングル起動１３０に応答して、制御手段１１０からの制御信号１３１によって開始される。キャプチャ後、サンプル１３３は、処理手段１２２へ転送される。ユーザにキャプチャが進行中であることを知らせるよう、装置１００は、視覚又は音響の指示手段（図示せず）を有し得る。例は、キャプチャが進行中である限り光を放出する発光ダイオード（ＬＥＤ）、及び、反射鏡カメラの「フラダック（ｆｌａｄａｃｋ）」音を模倣するスピーカを有し得る。他の例は、固定された期間でサンプル又はクリップをキャプチャする間、進行を示すバー等のインジケータである。
【００２０】
処理手段１２２は、メッセージ１３４を作成、構成、及び／又は編集する目的を果す。処理手段１２２は、エンド・ユーザ（図示せず）に、メッセージ１３４に文章又は他のオブジェクトを挿入するようツール（図示せず）を与え得る。これは、典型的には、編集環境を与える文章プロセッサより既知であるようなハードウェア及びソフトウェアを有する。メッセージ１３４の内容は、カーソル（図示せず）によって通常は示された一点で修正される。制御手段１１０からの制御信号１３１に応答して、処理手段１２２は、キャプチャ手段１２１から受信された全てのキャプチャした構成部品とともに、更なるユーザの介入無しにカーソルでサンプル１３３を挿入する。処理が終了した際、メッセージ１３４は、任意で送信手段１２３に転送される。
【００２１】
メッセージ１３４がシングル起動１３０上で既に処理されていない場合、制御手段１１０はまた、メッセージ１３４が処理手段１２２によって作成されるようにし得る。
【００２２】
送信手段１２３は、処理されたメッセージ１３４の送信を可能にする。これによって、メッセージ１３５は、メッセージの受信者（図示せず）又は中間地点（図示せず）に向かって、有線又は無線の媒体（図示せず）のいずれかで、装置１００から送信される。処理手段から受信されたメッセージ１３４は、制御手段からの制御信号１３１に応答して送信される。
【００２３】
実際起こることは、制御手段１１０の起動の際、サンプル１３３がキャプチャされ１３２、サンプル１３３はメッセージ１３４に追加され、メッセージ１３４は任意で送信１３５される。
【００２４】
制御手段１１０は、装置１００上に物理的ボタン（図示せず）を有し得る。あるいは、所謂ソフト・ボタンがディスプレイ画面（図示せず）上にレンダリングされ得る。ソフト・ボタンは、マウスでクリックすることによって、又は、タッチ画面をスタイラス又は指でその近辺を叩くことによって、起動される。制御手段１１０は、ディスプレイ画面上に表される受信者に起動の際にメッセージを送信するよう配置され得る。特には、制御手段１１０は、起動の際、ディスプレイ画面に示されたリストの一部である１人又はそれ以上の選択された受信者にメッセージを送る。受信者の選択は、受信者の、強調表示又は異なった色付けをされている等のリストのされ方に基づき得る。受信者の選択は、また、表示された受信者とクリックする点との間の距離に基づき得、最も近い受信者が選択されるようにされる。受信者はまた、装置１００の音声電話又はチャット・セッション等の通信セッションに最近携わったグループから選択され得る。
【００２５】
受信されたサンプルは、格納され得、続いて受信装置で使用され得る。かかる格納されたサンプルの使用の一例は、セッションの参加者に対するリマインダとしての役割をなすことである。他の例は、全参加者に対する１人の特定の参加者の識別であり、又は、例えば、所謂フロア制御機構を強化するようセッションの議長を識別することである。
【００２６】
メッセージ１３４は、通信セッション（図示せず）を制御するコマンド（図示せず）を有し得る。送信されたメッセージ１３５の受信者は、通信セッションにコマンドを適用するよう要求される。メッセージの受信に応答して、サンプル１３３は、続いて、受信されたメッセージ１３５を扱う一部分として受信装置（図示せず）で再生され得る。コマンドの一例は、セッションへの誘引を受諾又は拒否し、セッションを終了させ、あるいは、セッションの参加者としての送信者を除くか、又はセッションの複数の他のパラメータを変更する。該パラメータとは、ポート、アドレス、パケット・ルーティング、記号化、復号化、バッファリング、プロトコル、フロー制御等のストリーミングの詳細である。サンプル１３３は、例えば、セッションに入る又は出る人、又はその人からの新しい挨拶を識別し得る。
【００２７】
メッセージ１３４は、通信セッション（図示せず）に対する誘引（図示せず）も有し得る。送信されたメッセージ１３５の受信者は、通信セッションに携わるよう誘引される。メッセージの受信に応答して、サンプル１３３は、続いて、受信されたメッセージ１３５を扱う一部分として受信装置（図示せず）で再生され得る。再生されたサンプルによって、受信者は、誘引の受諾又は拒否を容易に決定することが可能であり、また、結果として、通信セッションへの参加を容易に決定することが可能である。サンプルは、また、送信者又はセッションを説明し得る。例は、セッションの主題、その設定又は状況、セッションに関連する送信者の近況等である。サンプルを提示することは、また、電話番号、ニックネーム、又はユーザ識別名等を提示するより、受信者に対してより説明的であり得る。また、サンプルは、参加するよう受信者を説得し得る。受信者が誘引を受諾した場合、受信者はセッションの参加者に追加される。要求に応じて、セッションは、受信装置又は送信装置のいずれかによって、誘引の受諾に応じて作成され得る。
【００２８】
代替案は可能である。上述された説明において、「有する」という動詞及びその活用は、他の構成要素又は段階を除外せず、構成要素が単数形で記載されている場合は、かかる要素が複数存在する場合を除外するものではない。また、単一のプロセッサ又は他のユニットもまた、請求項に列挙された複数の手段の機能を実行し得る。
【図面の簡単な説明】
【００２９】
【図１】本発明に従った装置１００の一実施例をブロック図で図示する。
【図１】
2006526330.tif 000004
【国際調査報告】
2006526330.tif 000005
2006526330.tif 000006
2006526330.tif 000007